(57)【要約】【課題】コンパクト且つ簡易な構成で省エネを図ることができるドレン水散水装置及び空調装置を提供する。【解決手段】空調用室内機３のドレン水が導入される水量調整部１９と、空調用室外機５の熱交換器１１上に配置されて水量調整部１９に接続される散水管２１とを備え、水量調整部１９は、空調用室内機のドレン水を導出するドレンホース１５から導出されるドレン水を受ける水受け部材３１とを有し、水受け部材３１は一端に水を溜める器部３５を有し、他端に錘３７を有し、中間部が回動自在に軸支されており、器部３５に水が溜まって錘３７との釣合い量を越えると器部３５が下方に回動して器部３５に溜まった水を排水口に流すことにより、散水管２１から室外機５の熱交換器１１に散水する。【選択図】図１
2009150564.tif 000002
【特許請求の範囲】
【請求項１】
空調用室内機のドレン水が導入される水量調整部と、空調用室外機の熱交換器上に配置されて水量調整部に接続される散水管とを備え、水量調整部は、空調用室内機のドレン水を導出するドレンホースとの接続口と、散水管が接続される排水口と、ドレンホースから導出されるドレン水を受ける水受け部材とを有し、水受け部材は一端に水を溜める器部を有し、他端に錘を有し、中間部が回動自在に軸支されており、器部にドレン水が溜まって錘との釣合い量を越えると器部が下方に回動して器部に溜まったドレン水を排水口に流すことにより、散水管から室外機の熱交換器に散水することを特徴とするドレン水散水装置。
【請求項２】
散水管は水量調整部の排水口側を基端として熱交換器の長手方向に沿って長く形成されており、長手方向に沿って複数の散水穴が形成してあり、散水穴の穴径は先端側を基端側よりも大きくしてあることを特徴とする請求項１に記載のドレン水散水装置。
【請求項３】
請求項１又は２に記載のドレン水散水装置を室外機に設けたことを特徴とする空調装置。
【発明の詳細な説明】
【技術分野】
【０００１】
本発明は、空調装置の冷房運転時に、室内機のドレン水を利用して室外機の冷却効率を高めるドレン水散水装置及びそのドレン水散水装置を用いた空調装置に関する。
【背景技術】
【０００２】
特許文献１には、冷房運転時に空調装置の室内機で発生するドレン水を水貯留タンクに溜めて、溜めたドレン水を室外機の熱交換器に散水することが開示されている。
【０００３】
【特許文献１】特開２００７−１５５２５８号公報
【発明の開示】
【発明が解決しようとする課題】
【０００４】
しかしながら、特許文献１の水貯留タンクは、タンク内に所定量のドレン水を溜めた後圧縮機でタンク内を加圧して散水管に圧送する構成である為、圧縮機が必要になると共に、複数の逆流防止弁が必要になり、構成が複雑で大掛かりになるという問題がある。
【０００５】
また、圧縮機でドレン水を圧送するものであるから、エネルギーが必要になり、省エネを図り難いという問題がある。
【０００６】
本発明は、このような問題に鑑みて成されたものであり、コンパクト且つ簡易な構成で省エネを図ることができるドレン水散水装置及び空調装置の提供を目的とする。
【課題を解決するための手段】
【０００７】
請求項１記載の発明は、空調用室内機のドレン水が導入される水量調整部と、空調用室外機の熱交換器上に配置されて水量調整部に接続される散水管とを備え、水量調整部は、空調用室内機のドレン水を導出するドレンホースとの接続口と、散水管が接続される排水口と、ドレンホースから導出されるドレン水を受ける水受け部材とを有し、水受け部材は一端に水を溜める器部を有し、他端に錘を有し、中間部が回動自在に軸支されており、器部にドレン水が溜まって錘との釣合い量を越えると器部が下方に回動して器部に溜まったドレン水を排水口に流すことにより、散水管から室外機の熱交換器に散水することを特徴とする。
【０００８】
請求項２記載の発明は、請求項１に記載の発明において、散水管は水量調整部の排水口側を基端として熱交換器の長手方向に沿って長く形成されており、長手方向に沿って複数の散水穴が形成してあり、散水穴の穴径は先端側を基端側よりも大きくしてあることを特徴とする。
【０００９】
請求項３記載の発明は、請求項１又は２に記載のドレン水散水装置を室外機に設けたことを特徴とする空調装置である。
【発明の効果】
【００１０】
請求項１の発明によれば、錘との釣合いにより水受け部材の器部にドレン水を溜め、釣合いを越えた所定量が溜まると、器部が下方に回動して器部に溜まったドレン水を排水口に流すことにより、纏まったドレン水を散水管から放出して、冷房運転時における室外機の熱交換器を冷却する。
【００１１】
本発明によれば、別途エネルギーを必要とせずに、ドレン水を室外機の熱交換器に散水することができる。
【００１２】
また、本発明に係るドレン水散水装置は、従来技術のように圧縮機や逆止弁等が不要であり、簡易な構成で且つコンパクトな構成にできる。
【００１３】
散水管から纏まった量のドレン水を一度に流すことができるので、熱交換器の広い範囲に亘って散水でき冷却効率が良い。
【００１４】
請求項２記載の発明によれば、請求項１に記載の作用効果を奏すると共に、散水管において、散水穴の穴径をドレン水が流入される基端から先端に亘って順次大きくすることにより、散水管の長手方向全体に亘って散水することができる。
【００１５】
請求項３記載の発明によれば、請求項１又は２に記載の作用効果を奏する空調装置を提供できる。
【発明を実施するための最良の形態】
【００１６】
以下、本発明の実施の形態に係る空調装置を、添付図面を参照して説明する。図１は本発明の実施の形態に係る空調装置の概略構成を示す断面図であり、図２はドレン水散水装置の内部構成を示す斜視図であり、図３は散水管を配置した熱交換器の平面図である。
【００１７】
図１に示すように、空調装置１は、室内機３と室外機５とから構成されており、室外機５に設けたコンプレッサ７で室内機３の熱交換器９と室外機５の熱交換器１１との間に冷媒を循環して、冷房運転時には室内機３の送風機１２により室内に冷風を送風するようになっている。
【００１８】
この冷房運転時には、室内機３の熱交換器９は蒸発器として作用して外熱を吸収し、室外機５の熱交換器１１は凝縮器として作用して放熱するものである。尚、図示していないが、室外機５にも熱交換器１１用の送風機が設けられている。
【００１９】
室内機３には、熱交換器９の下端を載置するドレンパン１３が設けてあり、ドレンパン１３は冷房運転時に熱交換器９で発生する凝縮水を受けて、受けたドレン水をドレンホース１５により室外に排出している。
【００２０】
室外機５には、ドレン水散水装置１７が設けられており、このドレン水散水装置１７は、ドレンホース１５の下端部１５ａが接続された水量調整部１９と、水量調整部１９の排水口２７に接続されて室外機５の熱交換器１１に散水する散水管２１とを備えている。
【００２１】
水量調整部１９は、図２に拡大して示すように、ケース２３にドレンホース１５の下端部１５ａが接続される接続口２５と、排水口２７とを備えており、排水口２７には漏斗２９の上端が接続されている。ケース２３内には、ドレンホース１５の下端部１５ａから導出されるドレン水を受けて排水口２７に案内する水受け部材３１が設けられている。この水受け部材３１は、竿３３と、竿３３の先端に設けて水を溜める器部３５と、竿３３の他端に設けた錘３７と、竿３３の中間部３９に挿通された軸４１とを有しており、軸４１を回転中心にして竿３３が回動自在に設けられている。錘３７は、例えば竿３３の中空内に詰めた鉛であり、詰める鉛の量を変えることにより重量を適宜調整自在になっており、錘３７の重量と器部３５に溜まった水の重量との釣合いにより、器部３５に所定量の水が溜まると器部３５が軸４１を回転中心として下方に回動して、器部３５に溜まった水を排水口２７に排出する。
【００２２】
尚、ケース２３内には、器部３５が水平位置よりも上方に回動しないように係止する第１係止部４３と、排水位置よりも下方に回動しないように係止する第２係止部４５とが設けてあり、第１係止部４３と第２係止部４５とにより器部３５の回動を制限している。
【００２３】
図１及び図３に示すように、散水管２１は、室外機５の熱交換器９上に熱交換器９の長手方向に沿って取付けてあり、基端部２１ａが漏斗２９の下端に接続されて、排水口２７からドレン水が導入されるようになっている。また、散水管２１にはその下側面に、長手方向に沿って多数の散水穴４７が形成してあり、散水管２１の基端部２１ａから先端部２１ｂに亘って散水できるようにしてある。
【００２４】
散水穴４７は、基端部２１ａ側の散水穴４７ａの穴径よりも先端部２１ｂ側の散水穴４７ｂの穴径方が順次大きくなる寸法に形成してある。
【００２５】
次に、本実施の形態に係る空調装置の作用効果について説明する。冷房運転時において、室内機３のドレンパン１３に溜まった熱交換器９の凝縮水は、ドレン水としてドレンホース１５により室外に導出される。
【００２６】
ドレン水は、ドレンホース１５の下端部１５ａが接続されたドレン水散水装置１７の水量調整部１９において、水受け部材３１の器部３５に溜められる。尚、水受け部材３１では、器部３５は錘３７により上方に回転する方向に付勢されているが、器部３５が第１係止部４３に係止されて上方への回動が阻止され、その水平位置が保持されている。
【００２７】
時間経過により器部３５にドレン水が溜まって錘３７との釣合いよりも重くなると、器部３５が軸４１の軸回りを回転して器部３５が排水口２７側に位置し、器部３５内に溜まったドレン水を排水口２７に一度に纏めて排出する。
【００２８】
尚、器部３５は、第２係止部４５により排水位置を越えて回動することが阻止されている。
【００２９】
ドレン水を排出した器部３５は、錘３７との釣合いよりも軽くなるので、錘３７の作用により軸４１回りを上方に向けて回動し、水平位置（初期位置）に位置したところで第１係止部材４３に係止し、再びドレンホース１５から導出されるドレン水を溜める。
【００３０】
一方、排水口２７に一度に纏まって排出されたドレン水は、散水管２１の基端部２１ａに導入され、散水穴４７（４７ａ、４７ｂ）から下方に散水される。散水管２１の基端部２１ａには、一度に纏まったドレン水が導入されるので、大きな水流（水圧）で散水できる。散水管２１には、その長手方向に沿って複数の散水穴が設けてあるので、熱交換器１１の長手方向全体に亘って水を行き渡らせることができる。
【００３１】
散水管２１から排出されたドレン水は、室外機５の熱交換器１１に放水し、凝縮器として作用する熱交換器１１を冷却する。これにより、熱交換器１１の放熱作用を促進でき、空調装置の省エネ運転を図ることができる。
【００３２】
本実施の形態に係る空調装置１によれば、水量調整部１９は、錘３７との釣合いにより器部３５にドレン水を溜め、錘３７との釣合いを越えた所定量が溜まると、水受け部材３１では、器部３５を下方に回動して器部３５の水を排水口に一度に流し、散水管２１から纏まったドレン水を放出して、室外機５の熱交換器１１を冷却するので、水受け部材３１を駆動する為のエネルギーを別途必要とせずに、ドレン水を熱交換器１１に散水することができる。また、従来技術のように圧縮機や逆止弁等が不要であり、簡易で且つコンパクトな構成にできる。
【００３３】
水量調整部１９から散水管２１に纏まった量のドレン水を流すことができるので、熱交換器１１の広い範囲に亘って散水でき冷却効率が良い。
【００３４】
散水管２１において、散水穴４７の穴径を基端部２１ａ側の散水穴４７ａから先端部２１ｂ側の散水穴４７ｂに亘って順次大きくすることにより、散水管２１の長手方向全体に亘って水を行き渡らせることができ、広い範囲に散水することができる。
【００３５】
錘３７は鉛を詰めて構成しているので、詰める鉛の量を変えることにより器部３５に溜める水量を容易に調整できる。
【００３６】
本発明は上述した実施の形態のみに限定されず、その要旨を逸脱しない範囲内において種々の変形が可能である。例えば、図４に示すように、散水管２１を複数並列に配置しても良い。
【００３７】
また、水量調整部１９の接続口２５には、ドレンホース１５を着脱自在に設けて、必要に応じて水量調整部１９から取外しできるようにしても良い。
【図面の簡単な説明】
【００３８】
【図１】本発明の実施の形態に係る空調装置の概略構成を示す断面図である。
【図２】ドレン水散水装置の内部構成を示す斜視図である。
【図３】散水管を配置した熱交換器の平面図である。
【図４】本発明の変形例に係る散水管を配置した熱交換器の平面図である。
【符号の説明】
【００３９】
１    空調装置
２    室内機
３    室外機
１１  熱交換器（室外機の熱交換器）
１５  ドレンホース
１７  ドレン水散水装置
１９  水量調整部
２１  散水管
２５  接続口
２７  排水口
３１  水受け部材
３５  器部
３７  錘
４１  軸
【図１】
2009150564.tif 000003
【図２】
2009150564.tif 000004
【図３】
2009150564.tif 000005
【図４】
2009150564.tif 000006